(57)【要約】【課題】金種毎の硬貨の重量を計測して計数する硬貨計数機において、被計数硬貨の中に異金種が混入していた場合に、必ず誤った計数値を表示するという点である。【解決手段】本発明は、金種毎の硬貨の重量を計測して計数する硬貨計数機において、金種毎の硬貨の計測重量とその金種の単一の硬貨の基準重量の整数倍の値のうち前記計測重量に最も近い値との差が、あらかじめ定められた範囲を逸脱している場合に異金種混入の警告を表示やブザー等で行う手段を備えたことにある。また、前記異金種混入と判断するための範囲を変更できる手段を備えることもできる。そのため、機械の使用者が、計数した金種に異金種が混入していることを容易に知ることができ、誤計数の防止になるという利点がある。【選択図】図１
2007058707.tif 000002
【特許請求の範囲】
【請求項１】
被計数硬貨の金種を指定する金種指定手段と、金種毎の単一の硬貨の基準重量を記憶する基準重量記憶手段と、硬貨の重量を計測する重量計測手段と、データ演算ＣＰＵ部と、計数結果を表示する表示部を備え、金種毎の硬貨の計測重量とその金種の単一の基準重量とから硬貨の枚数を算出して被計数硬貨の枚数や金額を表示する硬貨計数機において、金種毎の硬貨の計測重量とその金種の単一の硬貨の基準重量の整数倍の値のうち前記計測重量に最も近い値との差が、あらかじめ定められた範囲を逸脱している場合に、異金種混入の警告を報知する表示手段、またはアラーム音の発生手段、またはその両方を具備することを特徴とする硬貨計数機。
【請求項２】
前記異金種混入と判断するための範囲を変更できる手段を具備したことを特徴とする請求項１に記載の硬貨計数機。
【発明の詳細な説明】
【技術分野】
【０００１】
本発明は、硬貨の重量を計測してその枚数や金額を計数する硬貨計数機に関するものである。
【背景技術】
【０００２】
従来の硬貨の重量を計測して計数する硬貨計数機は、単純に被計数硬貨の全重量を計測し、単一の硬貨の基準重量で割り算して計数枚数を無条件に表示していた。しかし、被計数硬貨の中に異金種が混入していた場合、必ず誤った計数値を表示するという欠点があった。
【０００３】
【特許文献１】特開平０６−１３１５３２号公報
【発明の開示】
【発明が解決しようとする課題】
【０００４】
解決しようとする問題点は、金種毎の硬貨の重量を計測して計数する硬貨計数機において、被計数硬貨の中に異金種が混入していた場合に、必ず誤った計数値を表示するという点である。
【課題を解決するための手段】
【０００５】
本発明は、金種毎の硬貨の重量を計測して計数する硬貨計数機において、金種毎の硬貨の計測重量とその金種の単一の硬貨の基準重量の整数倍の値のうち前記計測重量に最も近い値との差が、あらかじめ定められた範囲を逸脱している場合に異金種混入の警告をする手段を備えたことを最も主要な特徴とする。
また、前記異金種混入と判断するための範囲を変更できる手段を備えたことを特徴とする。
【発明の効果】
【０００６】
以上説明したように本発明の硬貨計数機は、金種毎の硬貨の計測重量とその金種の単一の硬貨の基準重量の整数倍の値のうち前記計測重量に最も近い値との差が、あらかじめ定められた範囲を逸脱している場合に異金種混入の警告をする手段を備えているため、機械の使用者が、計数した金種に異金種が混入していることを容易に知ることができ、誤計数の防止になるという利点がある。
【発明を実施するための最良の形態】
【０００７】
重量計測部１、データ演算ＣＰＵ部２、操作部３、表示部４、金種毎の単一の硬貨の基準重量を記憶する基準重量記憶部５の最小のブロックで構成される。異金種混入時に警告する警告ブザー部を設けてもよい。
また、表示部４は、硬貨計数機が通信手段で別の装置にデータ送信し、別の装置側で表示をすることもできる。
【実施例】
【０００８】
図１は、本発明装置のブロック図であって、硬貨の重量計測部１、データ演算ＣＰＵ部２、金種指定等の入力操作部３、計数枚数や計数金額および異金種混入を表示する表示部４、金種毎の単一の硬貨の基準重量を記憶する基準重量記憶部５で構成される。
必要に応じて入力操作部３で金種を指定し、
図３は、硬貨の重量を計測してその枚数または金額を計数する硬貨計数機の外観図である。
図４は、その表示部、操作部である。
【０００９】
必要に応じて入力操作部３で金種を指定し、硬貨載せ台１２に被計数硬貨を載せる。データ演算ＣＰＵ部２は、重量計測部１から重量計測値を取得する。データ演算ＣＰＵ部２は、金種毎の単一の硬貨の基準重量を記憶する基準重量記憶部５から基準重量を取得し演算する。演算結果から硬貨の枚数や金額を表示部４に表示する。演算の結果、異金種混入と判断した場合は、異金種混入の警告を表示やブザーで行う。
【００１０】
図２のフローチャートに基づいて、硬貨計数処理を説明する。
まず、操作部３の金種指定スイッチ（￥５００〜￥１）を押し、金種を選択する。このとき、既に計数しようとする金種になっている場合は押さなくてもよい（ステップＳ１）。
【００１１】
金種指定スイッチを押された場合、表示部４の金種表示を点灯させる（ステップＳ２）。
また、金種毎の単一の硬貨の基準重量を記憶する基準重量記憶部５から指定金種の基準重量ｐを取得する（ステップＳ３）。
【００１２】
データ演算ＣＰＵ部２は、重量計測部１で硬貨の重量を計測した重量ｑを確定し、記憶する（ステップＳ４）。
データ演算ＣＰＵ部２は、硬貨の重量ｑを指定金種の単一の重量ｐで割り、その商の小数点以下第１位を四捨五入した値の整数部ｍを求める（ステップＳ５）。
【００１３】
データ演算ＣＰＵ部２は、ｍを枚数として、表示部４に枚数を表示する。またはｍをもとに金額を算出して、表示部４に金額を表示する（ステップＳ６）。
同時にデータ演算ＣＰＵ部２は、硬貨の重量ｑから指定金種の単一の重量ｐにｍを乗じた値を引いた値ｎを求める（ステップＳ７）。
【００１４】
データ演算ＣＰＵ部２は、ｎがあらかじめ定められた範囲内に入っているか判断する。仮に、δ１を−０．３ｇ、δ２を０．３ｇとすると、硬貨の重量ｑが、その金種の単一の重量ｐと枚数ｍの乗算値との差が、±０．３ｇ以内なら異金種混入なしと判断する。（ステップＳ８）。
【００１５】
この異金種混入と判断するための範囲は、操作部のキーで設定するようにしてもかまわないし、装置の内部の設定スイッチで設定できるようすることも可能である。
【００１６】
データ演算ＣＰＵ部２が、演算の結果、範囲内であると判断した場合、表示部４の異金種混入表示を消灯する（ステップＳ９）。
データ演算ＣＰＵ部２が、範囲外であると判断した場合、表示部４の異金種混入表示を点灯する（ステップＳ１０）。この時、ブザー等の装置を具備している場合は、ブザーを鳴らしてもよい。
【００１７】
具体的な数値で説明する。硬貨計数機の重量センサーの最小計測単位が０．１ｇとする。１枚４．５ｇの１０円硬貨５０枚の計測重量は、磨耗等を考慮しても２２５ｇに限りなく近い値になるはずである。
【００１８】
仮に４９枚の１０円硬貨と１枚の５円硬貨（１枚、３．７５ｇ）の計測重量は、２２４．２ｇか２２４．３ｇになる。ここでは便宜上ｑ＝２２４．２ｇとする。
【００１９】
図２のフローチャートのステップ５の式に当てはめると
２２４．２ｇ÷４．５ｇ＋０．５ｇ＝５０．３２２２・・・
となり、その整数部は、５０となる。これをｍとする。
表示部４に５０枚または５００円と表示することになる。
【００２０】
同様にステップ７の式に当てはめると
２２４．２ｇ−４．５ｇ×５０枚＝−０．８ｇ
となり、これをｎとする。
【００２１】
仮に、δ１を−０．３ｇ、δ２を０．３ｇとすると、ｎはフローチャートのステップＳ８の範囲を逸脱しているので、異金種混入と判断する。
【産業上の利用可能性】
【００２２】
本発明は硬貨の重量を計測してその枚数または金額を計数する硬貨計数機に関するものである。
【図面の簡単な説明】
【００２３】
【図１】硬貨の重量を計測してその枚数または金額を計数する硬貨計数機のブロック図。
【図２】硬貨の重量を計測してその枚数または金額を計数する硬貨計数機のフローチャート。
【図３】硬貨の重量を計測してその枚数または金額を計数する硬貨計数機の外観図。
【図４】硬貨の重量を計測してその枚数または金額を計数する硬貨計数機の表示部と操作部。
【符号の説明】
【００２４】
１    重量計測部
２    データ演算ＣＰＵ部
３    金種指定等の入力操作部
４    計数枚数や計数金額および異金種混入等を表示する表示部
５    金種毎の単一の硬貨の基準重量を記憶する基準量記憶部
６    異金種が混入していた場合の警告ブザー部
１１  異金種が混入していた場合の警告表示
１２  硬貨の重量を計測してその枚数または金額を計数する硬貨計数機の硬貨載せ台
１３  異金種が混入していた場合の警告ブザーの抜き穴
【図１】
2007058707.tif 000003
【図２】
2007058707.tif 000004
【図３】
2007058707.tif 000005
【図４】
2007058707.tif 000006